(57)【要約】【課題】  溶解装置に接続する部分をセット（使用）直前まで覆い隠して菌や汚れが付着することを確実に防止することができ、使用後の容積を容易に減らすことができる袋式の透析用剤収納容器を提供しようとする。【解決手段】  可撓性シート材からなる筒状の胴部２の上端開口を封止し、下端開口に近い胴部の内部に可撓性シート材からなる底部３を設け、該底部と胴部と上記上端の封止部４とにより囲まれた空間を透析用剤収納空部６とし、底部の下方に位置する胴部の下端開口を封止して底部の外側の面を胴部の下端部分８で覆い隠し、この下端の封止部７と底部との間で胴部の下端部分を切除可能とし、切除した状態で底部の外側の面が胴部の下端開口内に露出するようにした。【選択図】図１
2006158823.tif 000002
【特許請求の範囲】
【請求項１】
可撓性シート材からなる筒状の胴部の上端開口を封止し、下端開口に近い胴部の内部に可撓性シート材からなる底部を設け、該底部と胴部と上記上端の封止部とにより囲まれた空間を透析用剤収納空部とし、底部の下方に位置する胴部の下端開口を封止して底部の外側の面を胴部の下端部分で覆い隠し、この下端の封止部と底部との間で胴部の下端部分を切除可能とし、切除した状態で底部の外側の面が胴部の下端開口内に露出するようにしたことを特徴とする透析用剤収納容器。
【請求項２】
前記胴部は、２枚の可撓性シート材を重ねてその左右側縁を溶着して構成され、
上記２枚の可撓性シート材の上端縁同士を溶着することで胴部の上端開口を封止し、
前記底部は、胴部の内側下部に椀状に彎曲した可撓性シート材を止着して構成され、
上記２枚の可撓性シート材の下端縁同士を溶着することで胴部の下端開口を封止することを特徴とする請求項１に記載の透析用剤収納容器。
【請求項３】
底部の可撓性シート材の強度を胴部の可撓性シート材よりも低く設定して底部を胴部よりも破断し易くしたことを特徴とする請求項１または請求項２に記載の透析用剤収納容器。
【請求項４】
溶着した胴部の側縁に切り込みノッチを設け、該切り込みノッチから切り裂いて胴部の下端部分を切除可能としたことを特徴とする請求項２または請求項３に記載の透析用剤収納容器。
【請求項５】
胴部の上端に吊り下げ部を設けたことを特徴とする請求項１から４のいずれかに記載の透析用剤収納容器。
【請求項６】
可撓性シート材からなる筒状の胴部の内部に可撓性シート材からなる第１底部と第２底部を胴部の軸方向に所定の間隔離隔して設けると共に、胴部の一端開口及び他端開口を封止し、第１底部と胴部と上記一端開口の封止部とにより囲まれた空間を第１透析用剤収納空間とし、第２底部と胴部と上記他端開口の封止部とにより囲まれた空間を第２透析用剤収納空間とし、上記第１底部と第２底部との間で胴部を切り離し可能とし、切り離した状態で第１底部と第２底部の外側の面がそれぞれ露出するようにしたことを特徴とする透析用剤収納容器。
【請求項７】
第１透析用剤収納空間内に充填する透析用剤Ａと第２透析用剤収納空間内に充填する透析用剤Ｂとの充填量の割合を、溶解する際に定められている所定の混合割合と同じ値に設定したことを特徴とする請求項６に記載の透析用剤収納容器。
【発明の詳細な説明】
【技術分野】
【０００１】
本発明は、人工透析に用いる透析液の調製に使用される粉末状或いは顆粒状とした固体透析用剤などの透析用剤を収納する袋状の容器に関する。
【背景技術】
【０００２】
透析用剤には、液体型と固体型の２種類の型がある。液体型の透析用剤は、その大部分が水で占められており、重量と容量が大きくなるため、透析医療従事者への運搬作業の負荷が大きく、保管スペースも大きくなってしまう。そのため、近年、透析液を使用する際に、自動溶解装置に投入して、水に溶解させて透析液を調製する固体型の透析用剤（以下、固体透析用剤という）が急速に普及している。この固体透析用剤を収納する容器は、現在、袋式とボトル式がある。
【特許文献１】特開２００１−３４０４４７号公報
【発明の開示】
【発明が解決しようとする課題】
【０００３】
袋式の透析用剤収納容器は、点滴用液の容器と同様に、可撓性を有するシート材で袋体に構成されているので、使用後の嵩高を減少させることができる利点がある。しかし、透析医療従事者が一袋ずつ手作業で開封し、溶解装置に投入して、透析液の調製をしているので、人為ミスによるＡ剤とＢ剤の投入ミス、数量ミスの危険性がある。また、溶解装置投入時に、袋に付着したゴミや雑菌、人間の毛髪等の異物が混入する危険性も高いという問題がある。さらに、投入時の発塵により溶解装置の周辺が汚染したり、誤動作するなどの問題もある。
【０００４】
一方、ボトル式透析用剤収納容器は、自動溶解装置にセットすれば、全自動で透析液の調製が可能となり、数量違いや異物混入の危険性は袋式に比べて低い。しかし、ボトルは、袋式に比べて剛性の高い材料で構成されているので、使用後空になっても、つぶして容量を小さくし難く、ゴミとして処分する際に嵩張るという問題がある。
【０００５】
本発明は上記した事情に鑑みなされたもので、その目的は、溶解装置に接続する部分をセット（使用）直前まで覆い隠して菌や汚れが付着することを確実に防止することができ、使用後の容積を容易に減らすことができる袋式の透析用剤収納容器を提供しようとするものである。
【課題を解決するための手段】
【０００６】
本発明は、上記目的を達成するために提案されたものであり、請求項１に記載のものは、可撓性シート材からなる筒状の胴部の上端開口を封止し、下端開口に近い胴部の内部に可撓性シート材からなる底部を設け、該底部と胴部と上記上端の封止部とにより囲まれた空間を透析用剤収納空部とし、底部の下方に位置する胴部の下端開口を封止して底部の外側の面を胴部の下端部分で覆い隠し、この下端の封止部と底部との間で胴部の下端部分を切除可能とし、切除した状態で底部の外側の面が胴部の下端開口内に露出するようにしたことを特徴とする透析用剤収納容器である。
【０００７】
請求項２に記載のものは、前記胴部が、２枚の可撓性シート材を重ねてその左右側縁を溶着して構成され、
上記２枚の可撓性シート材の上端縁同士を溶着することで胴部の上端開口を封止し、
前記底部は、胴部の内側下部に椀状に彎曲した可撓性シート材を止着して構成され、
上記２枚の可撓性シート材の下端縁同士を溶着することで胴部の下端開口を封止することを特徴とする請求項１に記載の透析用剤収納容器である。
【０００８】
請求項３に記載のものは、底部の可撓性シート材の強度を胴部の可撓性シート材よりも低く設定して底部を胴部よりも破断し易くしたことを特徴とする請求項１または請求項２に記載の透析用剤収納容器である。
【０００９】
請求項４に記載のものは、溶着した胴部の側縁に切り込みノッチを設け、該切り込みノッチから切り裂いて胴部の下端部分を切除可能としたことを特徴とする請求項２または請求項３に記載の透析用剤収納容器である。
【００１０】
請求項５に記載のものは、胴部の上端に吊り下げ部を設けたことを特徴とする請求項１から４のいずれかに記載の透析用剤収納容器である。
【００１１】
請求項６に記載のものは、可撓性シート材からなる筒状の胴部の内部に可撓性シート材からなる第１底部と第２底部を胴部の軸方向に所定の間隔離隔して設けると共に、胴部の一端開口及び他端開口を封止し、第１底部と胴部と上記一端開口の封止部とにより囲まれた空間を第１透析用剤収納空間とし、第２底部と胴部と上記他端開口の封止部とにより囲まれた空間を第２透析用剤収納空間とし、上記第１底部と第２底部との間で胴部を切り離し可能とし、切り離した状態で第１底部と第２底部の外側の面がそれぞれ露出するようにしたことを特徴とする透析用剤収納容器である。
【００１２】
請求項７に記載のものは、第１透析用剤収納空間内に充填する透析用剤Ａと第２透析用剤収納空間内に充填する透析用剤Ｂとの充填量の割合を、溶解する際に定められている所定の混合割合と同じ値に設定したことを特徴とする請求項６に記載の透析用剤収納容器である。
【発明の効果】
【００１３】
本発明によれば、以下のような優れた効果を奏する。
請求項１に記載の発明によれば、可撓性シート材からなる筒状の胴部の上端開口を封止し、下端開口に近い胴部の内部に可撓性シート材からなる底部を設け、該底部と胴部と上記上端の封止部とにより囲まれた空間を透析用剤収納空部とし、底部の下方に位置する胴部の下端開口を封止して底部の外側の面を胴部の下端部分で覆い隠し、この下端の封止部と底部との間で胴部の下端部分を切除可能とし、切除した状態で底部の外側の面が下端開口内に露出するようにしたので、溶解装置にセットした場合の接続部分である底部を使用時まで胴部で覆い隠して確実に清潔に保つことができる。したがって、溶解装置に投入する際に、容器に付着したゴミや菌が溶解装置に混入する不都合を解決することができ、また、溶解装置にセットした状態で底部を破って透析用剤を落下するので発塵を抑制することができる。そして、空になった使用済みの容器は容易に減容でき、廃棄処理の容易化を図ることができる。
【００１４】
請求項２に記載のものは、前記胴部が、２枚の可撓性シート材を重ねてその左右側縁を溶着して構成され、上記２枚の可撓性シート材の上端縁同士を溶着することで胴部の上端開口を封止し、底部は、胴部の内側下部に椀状に彎曲した可撓性シート材を止着して構成され、上記２枚の可撓性シート材の下端縁同士を溶着することで胴部の下端開口を封止することにより透析用剤収納容器を構成したので構造が簡単であり、容易に製造することができる。
【００１５】
請求項３に記載のものは、底部の可撓性シート材の強度を胴部の可撓性シート材よりも低く設定して底部を胴部よりも破断し易くしたので、溶解装置にセットして底部をカッターにより容易に破断することができる。しかも、底部の強度を弱くして破断し易く構成したとしても、搬送中などにおいては胴部の下端開口が封止されているので、途中で破れて中の透析用剤が漏れ出すこともなく、また、下端開口の封止による高い防湿性により、内部の透析用剤が湿ってしまうこともない。
【００１６】
請求項４に記載のものは、溶着した胴部の側縁に切り込みノッチを設け、該切り込みノッチから切り裂いて胴部の下端部分を切除可能としたので、胴部の切除作業を容易に行うことができる。
【００１７】
請求項５に記載のものは、胴部の上端に吊り下げ部を設けたので、溶解装置のハンガーに吊り下げるなどして保持が容易である。
【００１８】
請求項６に記載のものは、可撓性シート材からなる筒状の胴部の内部に可撓性シート材からなる第１底部と第２底部を軸方向に所定の間隔離隔して設けると共に、胴部の一端開口及び他端開口を封止し、第１底部と胴部と上記一端の封止部とにより囲まれた空間を第１透析用剤収納空間とし、第２底部と胴部と上記他端の封止部とにより囲まれた空間を第２透析用剤収納空間とし、上記第１底部と第２底部との間で胴部を切り離し可能とし、切り離した状態で第１底部と第２底部の外側の面がそれぞれ露出するようにしたので、Ａ剤とＢ剤の２種類の透析用剤を一体化した容器に別個に収納した状態で出荷、搬送、保管することができ、各作業を合理的、能率的に行うことができる。そして、胴部を切り離すまで第１底部と第２底部の外面を覆い隠して各底部を確実に清潔に保つことができる。したがって、溶解装置に投入する際に、容器に付着したゴミや雑菌が溶解装置に混入する不都合を解決することができる。そして、空になった使用済みの容器は容易に潰して容積を減少させることができ、廃棄処理の容易化を図ることができる。
【００１９】
請求項７に記載のものは、第１透析用剤収納空間内に充填する透析用剤Ａと第２透析用剤収納空間内に充填する透析用剤Ｂとの充填量の割合を、溶解する際に定められている所定の混合割合と同じ値に設定したので、溶解装置に投入する際に透析用剤の混合割合を間違えることもない。
【発明を実施するための最良の形態】
【００２０】
以下、本発明の最良の実施形態を図面に基づいて説明する。
図１は袋式透析用剤収納容器の第１の実施形態の正面図、図２は図１に示す袋式透析用剤収納容器の胴部の下端部分を切除している状態の正面図、図３は袋式透析用剤収納容器の斜め下方から見た斜視図である。
【００２１】
袋式の透析用剤収納容器１は、可撓性シート材からなる筒状の胴部２と、この胴部２内の下部に設けた可撓性シート材製の底部３とから概略構成されている。可撓性シート材としては、例えば、ポリエステルのラミネートフィルム材やポリエチレンフィルムなど可撓性のある合成樹脂シート材（フィルム材）を使用することができ、胴部２には底部３よりも高い強度のものを用い、底部３にはカッターで破断し易いように胴部２よりも弱いものを用いると好適である。なお、図面に示す実施形態では、胴部２には、厚さ１０〜５０μｍのポリエステルフィルムと、厚さ１０〜５０μｍの酸化ケイ素蒸着ポリエステルフィルムと、厚さ５０〜１００μｍのポリエチレンフィルムとを積層したラミネートフィルムを使用し、底部３には、厚さ１０〜１００μｍのポリエチレンフィルムを使用している。
本実施形態では、２枚の可撓性シート材を重ね合わせ、その左右側縁を溶着（あるいは融着）して断面略笹葉形或いは略舟形の筒状の胴部２を形成し、両可撓性シート材の上端縁同士を溶着（あるいは融着）することで胴部２の上端開口を封止し、該封止部４のほぼ中央に横長な穴を吊り下げ部５として開設する。また、胴部２の内側の下部に椀状或いはポケット状に彎曲した平面視略紡錘形のシート材を止着して底部３とし、上端の封止部４と底部３と胴部２とによって囲まれた空間を透析用剤収納空部６とし、底部３の下方に位置する胴部２の下端開口を溶着（あるいは融着）するなどして封止し、これにより底部３の外側の面を胴部２の下端部分で覆い隠してゴミや雑菌の付着を防止できるように構成している。なお、胴部２の下端開口を封止すると、底部３を構成しているシート材が胴部２を構成している両側のフィルム材に挟み付けられて多少屈曲したり皺になったりするが、この段階では何ら支障がない。
【００２２】
そして、使用する時、即ち、溶解装置に投入する時に、下端の封止部７と底部３との間で胴部２の下端部分８を切除可能とし、切除した状態で底部３の外側の面が下端開口内に露出するように構成されている。なお、胴部２の上端開口を封止する工程は、実際には、透析用剤収納空部６内に透析用剤１０を所定量充填した後である。
【００２３】
袋式透析用剤収納容器１内に収納する透析用剤１０は、溶解時における化学反応を防止するためにＡ剤とＢ剤との２種類に分けて提供される。Ａ剤はブドウ糖、塩化ナトリウム、塩化マグネシウムなどの成分を含んだ薬剤であり、Ｂ剤は炭酸水素ナトリウムを主成分とする薬剤である。そして、透析液を調製するには、例えばＡ剤を２６８２．０ｇ、Ｂ剤を６６１．６ｇ使用する。そこで、本実施例に示す実施形態では、透析用剤収納容器１を、透析液の調整に必要な使用量を収納可能な容量に設定している。例えば、Ａ剤用の透析用剤収納容器１の容量を約３リットル（幅約２３ｃｍ、高さ約４０ｃｍ）、Ｂ剤用の透析用剤収納容器１の容量を約１リットル（幅約２３ｃｍ、高さ約１３ｃｍ）に設定し、透析用剤収納容器１を見ただけで識別できるようにしてある。
【００２４】
次に、使用方法について説明する。
工場を出荷する状態では透析用剤収納空部６内に所定量の透析用剤１０が収納され、胴部２の下端開口が封止されて底部３の下面が胴部２の下端部分８によって覆い隠されている。この状態で病院まで搬送され、保管される。そして、使用される時、即ち、溶解装置に透析用剤１０を投入する場合には、図２に示すように、先ず、胴部２の下端の封止部７と底部３との間で胴部２の下端部分８を切除する。この時、挟みやカッターなどの工具を使用してもよいが、胴部２の側縁の封止部９に三角形の切り込みノッチ１１を形成しておくと、作業者が手作業でこのノッチ１１から引き裂いて胴部２の下端部分８を切除することができる。この様にして胴部２の下端部分８を切除すると、胴部２の下端を開いて折れ曲がった底部３を展開してその外側を下端開口内に露出させることができ、また、底部３は充填されている透析用剤の自重により皺などが延ばされて椀形に張る。
【００２５】
底部３を露出させたならば、この透析用剤収納容器１を溶解装置にセットする。本実施形態における透析用剤収納容器１は上端に吊り下げ部５として穴を開設してあるので、この穴内に溶解装置のハンガー（図示せず）を挿通して吊り下げる。そして、吊り下げられた透析用剤収納容器１はハンガーの移動により溶解槽の上方の投入位置まで搬送される。この投入位置では、図３に示すように、溶解装置の溶解槽（図示せず）が上昇し、この溶解槽の上部に設けられているカッター１２が底部３の下面に下方から当接して底部３を破断する。なお、底部３は胴部２に比較して強度が低く設定させているために裂け易い。したがって、カッター１２を当接して押圧するだけで容易に破断する。そして、底部３が破断したならば、その後カッター１２をさらに上昇してから下降する。すると、破断した底部３の破断片が下方に彎曲してカッター１２の周囲に口が開く。したがって、透析用剤収納空部６内の透析用剤１０が開いた口から落下し、溶解槽内に投入される。
【００２６】
そして、すべての透析用剤が落下して空になると、ハンガーに吊り下げられた空の透析用剤収納容器１が取外し位置に搬送される。この様にして、使用済みとなった透析用剤収納容器１は潰れて扁平な袋体であり、容積が最小限近くまで減容される。したがって、廃棄する場合に搬送などが容易である。
【００２７】
このようにして、Ａ剤をＡ剤用の溶解槽へ投入して９Ｌ（リットル）のＡ原液を調製し、Ｂ剤をＢ剤用の溶解槽へ投入して１１．３４ＬのＢ原液を調整する。そして、Ａ原液：Ｂ原液：水＝１：１．２６：３２．７４の比率で混合すれば、３１５Ｌの透析液を調製することができる。
【００２８】
次に、図４に示す第２の実施形態について説明する。
この実施形態はＡ剤を収納した容器１ａとＢ剤を収納した容器１ｂとを一体化したものである。具体的には、可撓性シート材からなる筒状の胴部２の内部に可撓性シート材からなる第１底部３ａと第２底部３ｂを軸方向に所定の間隔離隔して設ける。なお、本実施形態では、図中左側はＡ剤を充填し、右側はＢ剤を充填し、例えばＡ剤を２６８２．０ｇ、Ｂ剤を６６１．６ｇ収納できるように設定するので、図４（ａ）に示すように、横長な胴部２の中央よりも右側寄りに第１底部３ａと第２底部３ｂとの間の離隔部分を配置してある。そして、胴部２の一端開口である左側の開口及び他端開口である右端開口を封止し、第１底部３ａと胴部２と上記一端の封止部１５とにより囲まれた空間を第１透析用剤収納空間１６ａとし、第２底部３ｂと胴部２と上記他端の封止部１７とにより囲まれた空間を第２透析用剤収納空間１６ｂとしてある。そして、上記第１底部３ａと第２底部３ｂとの間で胴部２を切り離し可能とし、切り離した状態で第１底部３ａと第２底部３ｂの外側の面がそれぞれ露出するようにしてある。具体的には、胴部２を構成している合成樹脂シート材の伸展方向を胴部２の幅方向に設定し、胴部２を幅方向に裂き易くするとともに、亀裂が入り易いように三角形の切り込みノッチ１１を胴部２の側縁（図４中上下）の封止部１８に形成してある。
【００２９】
この様な構成からなる透析用剤収納容器１の使用方法について説明すると、工場を出荷する状態では第１透析用剤収納空間１６ａ内のＡ剤と第２透析用剤収納空間１６ｂ内のＢ剤との割合が溶解する際に定められている所定量（所定割合）で収納され、この状態では第１底部３ａ及び第２底部３ｂが胴部２によって覆い隠されている。
【００３０】
そして、使用される時、即ち、溶解装置に透析用剤を投入する場合には、図４（ｂ）に示すように、先ず、第１底部３ａと第２底部３ｂとの間で胴部２を切り離す。この場合、挟みやカッター１２などの工具を使用してもよいが、切り込みノッチ１１から胴部２を幅方向に裂くことによっても容易に切り離すことができる。この様にして胴部２の途中で切り離すと、左側の胴部２の下端を開いて第１底部３ａを展開してその外側を下端開口内に露出させることができ、また、右側の胴部２の下端を開いて第２底部３ｂを展開してその外側を下端開口内に露出させることができ、両底部３ａ，３ｂは充填されているそれぞれの透析用剤の自重により皺などが延ばされて椀形に張る。
【００３１】
各底部３ａ，３ｂを露出させたならば、各透析用剤収納容器１ａ，１ｂを溶解装置にセットし、前記した第１実施形態と同様に、Ａ剤用の溶解槽およびＢ剤用の溶解槽の上部に設けられたカッター１２を底部３ａ，３ｂの下面に押し付けて底部３ａ，３ｂを破断し、内部の透析用剤をそれぞれ落下させて各溶解槽内に投入する。そして、本実施形態では、Ａ剤とＢ剤との充填割合が混合割合と同じに設定してあるので、混合する割合を間違えることなく投入することができる。そして、空になった各透析用剤収納容器１ａ，１ｂは、小さく減容することができるので、廃棄の際に嵩張らない。
【００３２】
このようにして、Ａ剤をＡ剤用の溶解槽へ投入して９Ｌ（リットル）のＡ原液を調製し、Ｂ剤をＢ剤用の溶解槽へ投入して１１．３４ＬのＢ原液を調整する。そして、Ａ原液：Ｂ原液：水＝１：１．２６：３２．７４の比率で混合すれば、３１５Ｌの透析液を調製することができる。
【００３３】
なお、前記した実施形態における吊り下げ部５は横長な穴としたが、これに限定されるものではなく、透析用剤収納容器１を溶解装置に吊り下げることができればよい。例えば、フック状に形成しても良い。
【００３４】
また、上記実施形態では、Ａ剤をブドウ糖、塩化ナトリウム、塩化マグネシウムなどの成分を含んだ薬剤とし、Ｂ剤を炭酸水素ナトリウムを主成分とする薬剤としたが、本発明はこの組み合わせに限定されず、水等の液体に溶解したものを混合して所定の透析液を調製でき、運搬・保管時には分けておくことが好ましい薬剤の組み合わせであれば、どのような組み合わせであってもよい。
そして、本発明は、上記した透析用剤の容量や割合に限定されず、透析液の調製に必要な透析用剤の使用量に応じて透析用剤収納容器の寸法や収納容量を適宜設定することが好ましい。
【図面の簡単な説明】
【００３５】
【図１】透析用剤収納容器の正面図である。
【図２】透析用剤収納容器の下端部分を切り取る状態を示す正面図である。
【図３】底部をカッターで破断する状態を示す透析用剤容器の下方から見た斜視図である。
【図４】（ａ）は第１透析用剤収納空間と第２透析用剤収納空間を形成して途中から分離できるようにした第２の実施形態の正面図、（ｂ）は切り離す状態を示す正面図、（ｃ）はＡ剤を充填した透析用剤収納容器１の切り離した状態における斜め下方から見た斜視図、（ｄ）はＢ剤を充填した透析用剤収納容器の切り離した状態における斜め下方から見た斜視図である。
【符号の説明】
【００３６】
１  透析用剤収納容器
２  胴部
３  底部
４  上端の封止部
５  吊り下げ部
６  透析用剤収納空部
７  下端の封止部
８  胴部の下端部分
９  側縁の封止部
１０  透析用剤
１１  ノッチ
１２  カッター
１５  一端側の封止部
１６ａ  第１透析用剤収納空間
１６ｂ  第２透析用剤収納空間
１７  他端側の封止部
１８  側縁の封止部
【図１】
2006158823.tif 000003
【図２】
2006158823.tif 000004
【図３】
2006158823.tif 000005
【図４】
2006158823.tif 000006